(57)【要約】【課題】インデックスを備えつつ、開閉操作に伴って動的な意匠効果が得られるインデックス付冊子の提供を目的とする。【解決手段】インデックス付冊子１０は、外装シート２０と、ページ構成シート３０とを有する。ページ構成シート３０は、インデックス付冊子１０の背側において天地方向に延びるように形成された接着部４０を有し、接着部４０において第二表紙面１２ｂに接着されている。各ページ構成シート３０の第二表紙面１２ｂに対する接着位置は、それぞれインデックス付冊子１０の小口側から背側に向けて所定の間隔毎にずれている。【選択図】図１
0003185971.tif 000002
【実用新案登録請求の範囲】
【請求項１】
冊子の外装をなす外装シートと、
前記冊子において前記外装シートの内側に綴じ込まれるページ構成シートとを有し、
前記外装シートによって、前記冊子の表紙及び裏表紙が形成されており、
前記表紙が、前記冊子の外側に露出する第一表紙面と、前記第一表紙面の裏側であって前記冊子の内側に向く第二表紙面とを有し、
前記裏表紙が、前記冊子の外側に露出する第四表紙面と、前記第四表紙面の裏側であって前記冊子の内側に向く第三表紙面とを有し、
前記ページ構成シートが、前記冊子の背側において天地方向に延びるように形成された接着部を有し、前記接着部において前記第二表紙面あるいは前記第三表紙面に接着されており、
前記ページ構成シートをなす各紙面の前記第二表紙面あるいは前記第三表紙面に対する接着位置が、それぞれ前記冊子の小口側から背側に向けて所定の間隔毎にずれていることを特徴とするインデックス付冊子。
【請求項２】
前記ページ構成シートが、前記冊子を閉じた状態において小口が揃う大きさとされていることを特徴とする請求項１に記載のインデックス付冊子。
【請求項３】
前記ページ構成シートが、接着部と、接着部を除く非接着部とを有し、
前記表紙及び前記裏表紙のうち前記ページ構成シートが接着されている側から他方側に向けてページ数が増加すると仮定した場合に、
前のページをなす前記非接着部の幅が、次ページをなす前記非接着部の幅よりも小さいことを特徴とする請求項１又は２に記載のインデックス付冊子。
【請求項４】
前記ページ構成シートが、接着部と、前記接着部を除く非接着部とを有し、
前記接着部と前記非接着部との境界部において、折線が形成されていることを特徴とする請求項１〜３のいずれかに記載のインデックス付冊子。
【請求項５】
前記非接着部の幅が、前記ページ構成シートが接着されている前記第二表紙面あるいは前記第三表紙面の小口側の端部から前記折線までの幅と同一であることを特徴とする請求項４に記載のインデックス付冊子。
【請求項６】
見開き状態において一方側のページを構成するページ構成シートの背側の端部が、他方側のページを構成するページ構成シートの折線に隣接する位置、あるいは他方側のページ構成シートの接着部に重複する位置に存在していることを特徴とする請求項４又は５に記載のインデックス付冊子。
【請求項７】
前記ページ構成シートが、背側において連続すると共に、小口側において非重複部分が形成されるように折り返されたものであることを特徴とする請求項１〜６のいずれかに記載のインデックス付冊子。
【請求項８】
前記接着部が、前記ページ構成シートにおいて背側に形成された折線上に形成されていることを特徴とする請求項７に記載のインデックス付冊子。
【請求項９】
前記ページ構成シートが、接着部と、接着部を除く非接着部とを有し、
各ページ構成シートの非接着部内の小口側に、前記冊子を開いた状態において上側に位置する他のページ構成シートと非重複となるインデックス領域が設けられており、
前記インデックス領域に、見出しが印刷されていることを特徴とする請求項１〜８のいずれかに記載のインデックス付冊子。
【考案の詳細な説明】
【技術分野】
【０００１】
本考案は、開閉操作に連動して動作するインデックスを備えた意匠性に優れた冊子に関する。
【背景技術】
【０００２】
従来、下記特許文献１に開示されているインデックス段差製本や、下記特許文献２に開示されている見出し部付き冊子等が、各種のパンフレットや広告用小冊子として提供されている。
【０００３】
特許文献１に開示されているインデックス段差製本は、紙端にインデックスに相当する印刷を施した寸法が同一の紙面を複数用いて形成されている。このインデックス製本は、前述した各紙面をインデックス部分に相当する分だけずらしつつ重ね合わせると共に、線糊等によって同一の位置において貼り合わせた後、各紙面のインデックスが重なり合わず目視可能なように折り込むことにより形成されている。これにより、従来の広告用の小冊子において多用されていたワイヤーの使用を回避しつつ、製造コスト及び製造に伴うゴミの発生を抑制しようとしている。
【０００４】
また、特許文献２に開示されている見出し部付冊子は、縦横同一寸法とされた横長の２枚の紙片を所定寸法だけ横方向にずらして重ね合わせ、重ね合わせた状態において横方向中央部よりもさらに所定寸法だけ横方向に偏った位置において縦方向に２枚の紙片を接着すると共に、２枚の紙片の側端縁が同一面にくるように接着部にて横方向に折り曲げることにより形成されたものである。このようにすることで、所定寸法だけずれた紙片の側端縁間が見出し部（インデックス）として機能する冊子を作成することができる。
【先行技術文献】
【特許文献】
【０００５】
【特許文献１】特開２００３−３０５９７０号公報
【特許文献２】特開２００５−１６９８３９号公報
【考案の概要】
【考案が解決しようとする課題】
【０００６】
上述した従来技術のインデックス段差製本や見出し部付冊子は、いずれもインデックスが設けられているため、必要な情報へのアクセスがしやすく、利便性に優れている。また、紙面を所定幅毎にずらしてインデックスを形成することにより、インデックスを備えていない単なる冊子に比べて意匠性に優れている。
【０００７】
しかしながら、上述した従来技術の冊子等においては、冊子の開閉を行っても紙面に動的な変化がなく、静的な意匠効果しか得られない。そのため、従来技術の冊子等は、各種のパンフレットや広告用小冊子として用いるにはインパクトに欠け、使用者に対する意匠的訴求効果が充分でないという問題がある。
【０００８】
かかる知見に基づき、本考案においては、インデックスを備えつつ、開閉操作に伴って動的な意匠効果が得られるインデックス付冊子の提供を目的とした。
【課題を解決するための手段】
【０００９】
上述した課題を解決すべく提供される本考案は、冊子の外装をなす外装シートと、前記冊子において前記外装シートの内側に綴じ込まれるページ構成シートとを有し、前記外装シートによって、前記冊子の表紙及び裏表紙が形成されており、前記表紙が、前記冊子の外側に露出する第一表紙面と、前記第一表紙面の裏側であって前記冊子の内側に向く第二表紙面とを有し、前記裏表紙が、前記冊子の外側に露出する第四表紙面と、前記第四表紙面の裏側であって前記冊子の内側に向く第三表紙面とを有し、前記ページ構成シートが、前記冊子の背側において天地方向に延びるように形成された接着部を有し、前記接着部において前記第二表紙面あるいは前記第三表紙面に接着されており、前記ページ構成シートをなす各紙面の前記第二表紙面あるいは前記第三表紙面に対する接着位置が、それぞれ前記冊子の小口側から背側に向けて所定の間隔毎にずれていることを特徴とするインデックス付冊子である。
【００１０】
本考案のインデックス付冊子においては、各ページ構成シートを第二表紙面あるいは第三表紙面において冊子の小口側から背側に向けて所定の間隔毎にずらして接着されている。そのため、表紙あるいは裏表紙の開閉操作を行うと、これに追従して各ページ構成シートが移動する。具体的には、冊子を開く操作を行うと、表紙あるいは裏表紙に引っ張られて各ページ構成シートが幅方向にスライドする。また、各ページ構成シートの接着位置が冊子の幅方向にずれているため、各ページ構成シートがあたかもエスカレータのステップのように、幅方向に次々と位置ズレつつスライドする。そして、表紙あるいは裏表紙を完全に開いた状態にすると、各ページ構成シートが小口側の位置においてずれた状態になり、インデックスが形成される。このように、本考案によれば、表紙あるいは裏表紙の開閉操作を行うことにより動的な意匠効果が得られるインデックス付冊子を提供することができる。
【００１１】
上述した本考案のインデックス付冊子は、前記ページ構成シートが、前記冊子を閉じた状態において小口が揃う大きさとされていることが好ましい。
【００１２】
かかる構成とすることにより、各種のパンフレットや広告用小冊子として提供する上で装丁の整ったものとすることが可能となる。
【００１３】
また、本考案のインデックス付冊子は、前記ページ構成シートが、接着部と、接着部を除く非接着部とを有し、前記非接着部をなす領域の幅が、接着位置が小口側に位置するものほど小さいものであることが好ましい。
【００１４】
かかる構成とすることにより、表紙あるいは裏表紙を完全に開いた状態にした際に、各ページ構成シートの小口側の位置において確実にずれを生じさせ、上下に積層されたページ構成シートの非重複部分をインデックスとして活用することが可能となる。また、本考案によれば、各ページ構成シートの紙面の大きさが相違しており、これによる意匠的効果も期待できる。
【００１５】
本考案のインデックス付冊子は、前記ページ構成シートが、接着部と、接着部を除く非接着部とを有し、前記接着部と前記非接着部との境界部において、折線が形成されているものであることが望ましい。
【００１６】
本考案のインデックス付冊子では、各ページ構成シートの接着位置が幅方向（小口側から背側に向かう方向）に位置ズレしている。そのため、ページをめくり進める際に、通常の冊子のように外装シートの幅方向中央でページ構成シートを折り返すのでははなく、見開き状態における中央位置においてページ構成シートを折り返す必要がある。本考案のインデックス付冊子においては、見開き状態における中央位置にページ構成シートに折線が到来する。従って、インデックス付冊子においては、見開き状態における中央位置が各ページ毎に相違するにもかかわらず、スムーズにページをめくり進めることができる。
【００１７】
本考案のインデックス付冊子は、前記非接着部をなす領域の幅が、前記ページ構成シートが接着されている前記第二表紙面あるいは前記第三表紙面の小口側の端部から前記折線までの幅と同一であることが好ましい。
【００１８】
かかる構成とすることにより、インデックス付冊子を閉じた際に各ページ構成シートが小口側において揃った状態になり、装丁の整ったものとしうる。
【００１９】
本考案のインデックス付冊子は、見開き状態において一方側のページを構成するページ構成シートの背側の端部が、他方側のページを構成するページ構成シートの折線に隣接する位置、あるいは他方側のページ構成シートの接着部に重複する位置に存在したものであることが望ましい。
【００２０】
かかる構成とすることにより、見開き状態における中央部に不連続部分が生じるのを防止し、装丁の整ったインデックス付冊子を提供することができる。
【００２１】
また、上述したインデックス付冊子は、前記ページ構成シートが、背側において連続すると共に、小口側において非重複部分が形成されるように折り返されたものであっても良い。
【００２２】
かかる構成とすることにより、より多数のページを有するページ付冊子を作成することが可能となる。
【００２３】
ページ構成シートを上述したように小口側において非重複部分が形成されるようにシートを折り返したものとする場合には、前記接着部が、前記ページ構成シートにおいて背側に形成された折線上に形成されていても良い。
【００２４】
かかる構成とすることにより、ページ構成シートの接着に要する領域（接着領域）の幅を最小限に抑制することが可能となる。これにより、接着領域の幅による制約を受けることなく、各ページ構成紙の接着位置の調整等を行うことができる。従って、上述した構成とすれば、小口側においてインデックスとして機能するページ構成シートのズレ幅、すなわち積層されたページ構成紙において非重複となる領域の幅をより一層細かく調整する等、インデックス付冊子のデザイン性をより一層向上させることが可能となる。
【００２５】
本考案のインデックス付冊子は、前記ページ構成シートが、接着部と、接着部を除く非接着部とを有し、各ページ構成シートの非接着部をなす領域内の小口側に、前記冊子を開いた状態において上側に位置する他のページ構成シートと非重複となるインデックス領域が設けられており、前記インデックス領域に、見出しが印刷されているものであることが望ましい。
【００２６】
本考案のように、各ページ構成シートのインデックス領域に見出しを印刷しておくことにより、インデックス付冊子の閲覧性を向上させることが可能となる。
【考案の効果】
【００２７】
本考案によれば、インデックスを備えつつ、開閉操作に伴って動的な意匠効果が得られるインデックス付冊子を提供することができる。
【図面の簡単な説明】
【００２８】
【図１】本考案の一実施形態に係るインデックス付冊子を開いた状態を示した斜視図である。
【図２】図１に示したインデックス付冊子を開く際の動作を天地方向から見た状態を示した説明図である。
【図３】図１に示したインデックス付冊子の製造工程を順を追って示した斜視図である。
【図４】変形例に係るインデックス付冊子を開いた状態を示した斜視図である。
【図５】（ａ）は図４のインデックス付冊子に用いられるページ構成紙の折り曲げ加工前の状態を示す平面図、（ｂ）は折り曲げ加工後の状態を示す斜視図である。
【考案を実施するための形態】
【００２９】
以下、本考案に係るインデックス付冊子１０について、図面を参照しつつ詳細に説明する。図１に示したインデックス付冊子１０は、各種のパンフレットや広告用小冊子として提供される冊子である。インデックス付冊子１０は、外装シート２０及び複数のページ構成シート３０を用いて構成されている。本実施形態では、図１〜図３に示すように、ページ構成シート３０として４枚設けられている。
【００３０】
外装シート２０は、インデックス付冊子１０のの外装をなすシートであり、インデックス付冊子１０の表紙１２及び裏表紙１４を構成する。外装シート２０は、紙やプラスチック製のシート等、シート状のものであればいかなる素材によって構成されていても良いが、本実施形態では紙製のものとされている。インデックス付冊子１０においては、一枚の紙を幅方向中間部に設けられた外装折線２２において２つに折り曲げることにより、表紙１２と裏表紙１４が形成されている。インデックス付冊子１０においては、外装折線２２が形成された部位が背となり、外装シート２０の幅方向両端側が小口となる。
【００３１】
表紙１２の一方側の面はインデックス付冊子１０の第一表紙面１２ａを構成し、他方側の面は第二表紙面１２ｂを構成している。第一表紙面１２ａは、インデックス付冊子１０の外側に露出する面である。第二表紙面１２ｂは、第一表紙面１２ａの裏側であって、インデックス付冊子１０を閉じた状態において内側に向く面である。
【００３２】
裏表紙１４の一方側の面は、インデックス付冊子１０の第三表紙面１４ａを構成し、他方側の面は第四表紙面１４ｂしている。第三表紙面１４ａは、裏表紙１４においてインデックス付冊子１０を閉じることで内側に向く面である。第四表紙面１４ｂは、裏表紙１４において外側に露出する面である。
【００３３】
ページ構成シート３０は、インデックス付冊子１０におて外装シート２０をなす表紙１２及び裏表紙１４の内側に綴じ込まれるシートである。ページ構成シート３０は、上述した外装シート２０と同様に、紙やプラスチック製のシート等、シート状のものであればいかなる素材によって構成されていても良いが、本実施形態では紙製のものとされている。ページ構成シート３０は、上述したように複数設けられており、それぞれの大きさが相違している。本実施形態では、ページ構成シート３０として、大きさの異なる第一ページ構成シート３２、第二ページ構成シート３４、第三ページ構成シート３６、及び第四ページ構成シート３８が設けられている。
【００３４】
各ページ構成シート３０は、接着部４０と非接着部４２とを有する。接着部４０は、ページ構成シート３０を接着（糊付け）するための領域である。すなわち、接着部４０は、ページ構成シート３０においてのり代となる部分である。接着部４０は、インデックス付冊子１０の背側、すなわち外装シート２０に設けられた外装折線２２側において、外装折線２２に沿って天地方向に延びるように形成されている。また、非接着部４２は、各ページ構成シート３０における接着部４０を除く領域である。各ページ構成シート３０において、接着部４０と非接着部４２をなす領域との境界には、折線４４が形成されている。
【００３５】
各ページ構成シート３０は、接着部４０において外装シート２０によって構成された表紙１２の第二表紙面１２ｂ、あるいは裏表紙１４の第三表紙面１４ａに対して糊等によって接着される。また、各ページ構成シート３０の第二表紙面１２ｂあるいは第三表紙面１４ａに対する接着位置が、それぞれインデックス付冊子１０の小口側から背側に向けて所定の間隔毎にずれている。本実施形態では、各ページ構成シート３０の接着部４０が、表紙１２側に近いものから順に第二表紙面１２ｂにおいて小口側から背側に向けて少しずつ位置をずらした状態で接着されている。
【００３６】
さらに具体的には、図１や図２に示すように、インデックス付冊子１０においては、第一ページ構成シート３２、第二ページ構成シート３４、第三ページ構成シート３６、及び第四ページ構成シート３８の順で表紙１２側から裏表紙１４側に積層されている。また、図１や図３に示すように、第一ページ構成シート３２、第二ページ構成シート３４、第三ページ構成シート３６、及び第四ページ構成シート３８の順で、接着部４０（接着位置）が第二表紙面１２ｂの小口側から背側に向けてずれるように接着されている。また、表紙１２を開いた状態において下側に位置するページ構成シート３０の背側の端部が、上側に位置するページ構成シート３０の折線４４に隣接する位置、あるいは上側に位置するページ構成シート３０の接着部に重複する位置に存在するように各ページ構成シート３０が接着される。本実施形態では、表紙１２を開いた状態において下側に位置するページ構成シート３０の背側の端部の位置、上側に位置するページ構成シート３０の折線４４の位置とが揃うように各ページ構成シート３０が貼り付けられている。
【００３７】
各ページ構成シート３０は、インデックス付冊子１０を閉じた状態において小口側の端部が揃う大きさとされている。すなわち、図１に示すように、各ページ構成シート３０における非接着部４２をなす領域の幅Ｗ１〜Ｗ４は、接着部４０（接着位置）が小口側に位置するものほど小さい。また、各ページ構成シート３０における非接着部４２の幅Ｗ１〜Ｗ４は、接着部４０の幅Ｗ６に対して十分に大きい。具体的には、接着部４０の幅Ｗ６は、接着したページ構成シート３０が剥がれ落ちない程度の大きさであれば良い。具体的には、幅Ｗ６は、０．５ｃｍ〜３ｃｍ程度の範囲内とすることができる。
【００３８】
具体的には、最も小口側に位置しているページ構成シート３０である第一ページ構成シート３２の非接着部４２をなす領域の幅Ｗ１は、他のページ構成シート３０の非接着部４２の幅Ｗ２よりも小さい。第一ページ構成シート３２に対して隣接する第二ページ構成シート３４の非接着部４２の大きさ（幅Ｗ２）は、第三ページ構成シート３６の幅Ｗ３よりも小さいものの、第一ページ構成シート３２の幅Ｗ１よりも大きい。同様に、第三ページ構成シート３６の非接着部４２の幅Ｗ３は、第四ページ構成シート３８の幅Ｗ４よりも小さいものの、第二ページ構成シート３４の幅Ｗ２よりも大きい。また、第四ページ構成シート３８の幅Ｗ４は、表紙１２及び裏表紙の幅Ｗ５よりも小さい。このように、各ページ構成シート３０の非接着部４２の幅Ｗ１〜Ｗ４は、表紙１２及び裏表紙１４の幅Ｗ５よりも小さく、表紙１２側から見て下層側に向かうほど大きくなっている（Ｗ６＜＜Ｗ１＜Ｗ２＜Ｗ３＜Ｗ４＜Ｗ５）。言い換えれば、各ページ構成シート３０は、非接着部４２の幅Ｗ１〜Ｗ４に相当する分だけ小口側から背側に離れた位置に折線４４が到来するように接着されている。
【００３９】
各ページ構成シート３０を構成する非接着部４２をなす領域内の小口側には、インデックス領域４６が設けられている。各ページ構成シート３０が接着されている表紙１２側から見て二枚目以降のページ構成シート３０、すなわち第二ページ構成シート３４、第三ページ構成シート３６、及び第四ページ構成シート３８のインデックス領域４６は、インデックス付冊子１０を開いた状態において上側に位置する他のページ構成シート３０と非重複となる領域に形成されている。また、表紙１２側から見て一枚目のページ構成シート３０である第一ページ構成シート３２のインデックス領域４６についても、他のページ構成シート３０のものと同様の位置及び大きさとされている。インデックス領域４６には、各ページ構成シート３０の内容等を示すための見出しが印刷されている。
【００４０】
続いて、図３を参照しつつ、上述したインデックス付冊子１０の製造方法について説明する。インデックス付冊子１０は、上述したような構成（構造）とすることができるのであれば、いかなる方法で製造されても良いが、例えば次のような方法で製造することができる。具体的には、インデックス付冊子１０において外装シート２０を構成するためのウェブに、オフセット輪転機、デジタルプレス等の印刷機を用いて表紙１２及び裏表紙１４についての印刷を施す。印刷が施された外装シート２０用のウェブは、プラウ折り装置等により折られる。これにより、外装折線２２が形成され、外装折線２２を境として一方側が表紙１２、他方側が裏表紙１４とされる（図３（ａ）参照）。
【００４１】
一方、各ページ構成シート３０を構成するためのウェブについても、オフセット輪転機等の印刷機を用いて印刷が施される。また、印刷が施された各ページ構成シート３０用のウェブについても、プラウ折り装置等により折り曲げ加工がなされる。これにより、折線４４が形成されると共に、折線４４を境界として接着部４０と非接着部４２とが形成される（図３（ａ）〜（ｄ）参照）。
【００４２】
上述したようにして外装シート２０及び各ページ構成シート３０が準備されると、グルアー等の接着装置（糊付け装置）を用い、外装シート２０に対して各ページ構成シート３０が順に並ぶように接着される。具体的には、表紙１２の第二表紙面１２ｂにおいて、小口側から外装折線２２側に向けて、第一ページ構成シート３２、第二ページ構成シート３４、第三ページ構成シート３６、及び第四ページ構成シート３８の順で並ぶように糊付けされる。その際、第一ページ構成シート３２は、表紙１２における小口側の端部から、非接着部４２の幅Ｗ１分だけ外装折線２２側に寄った位置に折線４４が到来するように位置合わせして接着される。同様に、第二ページ構成シート３４、第三ページ構成シート３６、及び第四ページ構成シート３８についても、表紙１２における小口側の端部から、それぞれ非接着部４２の幅Ｗ２，Ｗ３，Ｗ４分だけ外装折線２２側に寄った位置に折線４４が到来するように位置合わせして接着される。
【００４３】
第一ページ構成シート３２、第二ページ構成シート３４、第三ページ構成シート３６、及び第四ページ構成シート３８を接着する順番はどのようなものでも良いが、例えば図３（ａ）〜（ｄ）に示すように、第四ページ構成シート３８、第三ページ構成シート３６、第二ページ構成シート３４、第一ページ構成シート３２の順で接着するようにしても良い。このようにして各ページ構成シート３０が接着されると、インデックス付冊子１０が完成する。
【００４４】
上述したように、本実施形態のインデックス付冊子１０では、各ページ構成シート３０を第二表紙面１２ｂあるいは第三表紙面１４ａにおいてインデックス付冊子１０の小口側から背側に向けて所定の間隔毎にずらして接着されている。そのため、表紙１２の開閉操作を行うと、これに追従して各ページ構成シート３０がエスカレータのステップの如く、幅方向に次々と位置ズレつつスライドする。
【００４５】
具体的には、図２に示すように、第一ページ構成シート３２、第二ページ構成シート３４、第三ページ構成シート３６、第四ページ構成シート３８、及び裏表紙の小口側端部の位置をそれぞれ点ａ，ｂ，ｃ，ｄ，ｅで表示すると、図２（ａ）において矢印Ａで示すように表紙１２を開きはじめると、点ａ，ｂ，ｃ，ｄが徐々に点ｅから離れる方向（矢印Ｂ方向）に移動し始める。その後、図２（ｂ），（ｃ），（ｄ）に示すように表紙１２を大きく開いていくと、それに連動して各ページ構成シート３０の小口側端部に相当する点ａ，ｂ，ｃ，ｄの間隔が拡がりつつが矢印Ｂ方向に移動していく。この様子を見ると、インデックス付冊子１０の小口側において、各ページ構成シート３０がエスカレータのステップの如く移動しているように見える。このように、本実施形態のインデックス付冊子１０によれば、表紙１２の開閉操作を行うことにより動的な意匠効果が得られる。
【００４６】
上述したように、インデックス付冊子１０は、各ページ構成シート３０の大きさが相違しており、インデックス付冊子１０を閉じた状態において小口が揃うようにサイズ調整されている。そのため、インデックス付冊子１０は、閉じた状態においては、通常のパンフレットや広告用小冊子をなす冊子と同様に整った装丁を呈する。また、インデックス付冊子１０は、閉じた状態では装丁の整った通常の冊子のように見えるため、表紙１２を開けることによる各ページ構成シート３０の動作が使用者の意表を突き、大きなインパクトを与えることができる。
【００４７】
具体的には、各ページ構成シート３０における非接着部４２の幅Ｗ１〜Ｗ４が、接着位置が小口側に位置となるページ構成シート３０のものほど小さくなるようにサイズ調整されている。このような構成とすることにより、表紙１２を完全に開いた状態において、各ページ構成シート３０が小口側の位置において段階的に位置ズレした状態になり、インデックスとして活用することが可能となる。また、本実施形態によれば、各ページ構成シート３０の紙面の大きさが相違しており、これによる意匠的効果も期待できる。
【００４８】
また、インデックス付冊子１０においては、各ページ構成シート３０の非接着部４２の幅が、ページ構成シート３０が接着されている第二表紙面１２ｂの小口側の端部から折線４４までの幅と同一とされている。そのため、インデックス付冊子１０は、閉じた際に各ページ構成シート３０が小口側において揃った状態になる。
【００４９】
本実施形態のインデックス付冊子１０においては、ページをめくり進める際に、通常の冊子のように外装シート２０の幅方向中央（外装折線２２の位置）でページ構成シート３０を折り返すのでははなく、見開き状態における中央位置においてページ構成シート３０を折り返す必要がある。上述したように、インデックス付冊子１０においては、見開き状態における中央位置にページ構成シート３０に折線４４が設けられている。従って、インデックス付冊子１０においては、見開き状態における中央位置（折り返し位置）が各ページ毎に相違するにもかかわらず、スムーズにページをめくり進めることができる。
【００５０】
上述したように、インデックス付冊子１０においては、見開き状態において一方側（右側）に位置するページ構成シート３０の背側の端部が、他方側（左側）に位置するページ構成シート３０の折線４４に隣接する位置に存在している。そのため、インデックス付冊子１０は、例えば見開き状態とした場合の幅方向中央部に、不連続部分が形成されない。なお、本考案はこれに限定されるものではなく、見開き状態において一方側（右側）のページを構成するページ構成シート３０の背側の端部が、他方側のページを構成するページ構成シート３０の折線４４を越え、接着部４０に重複するように設けられても良い。すなわち、連続する２枚のページ構成シート３０の接着部４０，４０が重複した状態で接着されても良い。かかる構成とした場合についても、見開き状態における幅方向中央部に不連続部分が形成されない。
【００５１】
また、本実施形態のインデックス付冊子１０では、ページ構成シート３０の非接着部４２内の小口側にインデックス領域４６が設けられており、インデックス付冊子１０を開いた状態において各ページ構成シート３０のインデックス領域４６が露出する。そのため、インデックス領域４６に印刷された見出しにより、インデックス付冊子１０の閲覧性を向上させることが可能となる。なお、本実施形態においては、インデックス領域４６に閲覧性向上のための見出しを印刷した例を示したが、本考案はこれに限定されるものではなく、見出し等を印刷しない構成としても良い
【００５２】
本実施形態では、表紙１２側にのみ各ページ構成シート３０を接着した例を示したが、本考案はこれに限定されるものではなく、裏表紙１４側にのみ各ページ構成シート３０を接着した構成や、表紙１２及び裏表紙１４の双方に各ページ構成シート３０を接着したた構成としても良い。また、インデックス付冊子１０は、インデックスをなすページ構成シート３０のみでなく、他のページを構成する紙面を上述したページ構成シート３０と共に表紙１２及び裏表紙１４の間に綴じ込んだものとしても良い。さらに上述したインデックス付冊子１０を複数集め、一冊の冊子としても良い。
【００５３】
上述したインデックス付冊子１０は、ページ構成シート３０として表裏によって二面のページを構成するものを用いた例を示したが、本考案はこれに限定されるものではなく、例えば図４や図５（ｂ）に示すように折り曲げ加工を施したページ構成シート１３０等をページ構成シート３０の代わりに用いてもよい。さらに具体的には、図５（ａ）に示すように、ページ構成シート１３０は、単一のシートの幅方向中央に位置する中心線ＣＬから外れた位置にある折線１３２において、図中に矢印で示すように二つに折り畳んだものである。すなわち、ページ構成紙１３０は、図５（ｂ）のように、折線１３２側（背側）において連続すると共に、小口側（折線１３２とは反対側の端部）において位置ズレし、非重複部分１３４が形成されるように折り返されたものである。
【００５４】
図４に示した変形例に係るインデックス付冊子１０は、折線１３２を接着部１３４として上述したページ構成シート１３０を外装シート２０に接着（糊付け）したものである。このインデックス付冊子１０においては、接着部１３４が線状とされる。そのため、ページ構成シート１３０が脱落等しないようにすべく、いわゆるホットメルト接着剤のような接着できる領域が狭小であっても十分な接着強度が得られる接着方法で接着することが望ましい。
【００５５】
上述したように、背側において連続すると共に、小口側において非重複部分１３４が形成されるように折り返されたページ構成シート１３０を用いてインデックス付冊子１０を作成することにより、より一層多数のページを有するページ付冊子を作成することが可能となる。また、ページ構成シート１３０の背側に形成された折線１３２上に接着部１３４を形成することにより、ページ構成シート１３０の接着に要する領域（接着領域）の幅を最小限に抑制することが可能となる。これにより、接着領域の幅による制約を受けることなく、各ページ構成紙１３０の接着位置の調整等を行うことができる。従って、小口側においてインデックスとして機能するページ構成シート１３０のズレ幅、すなわち積層されたページ構成紙１３０において非重複となる領域の幅をより一層細かく調整する等、インデックス付冊子１０のデザイン性をより一層向上させることが可能となる。
【００５６】
上述したページ構成紙３０，１３０は、単一のシート（リボン，ウェブ）を折線１３２において折り返して形成されたものであるが、本考案はこれに限定されるものではなく、複数のシートを接合する等してページ構成シート３０，１３０を形成しても良い。具体的には、幅が相違するシートを背側となる部分において貼り合わせることにより、背側において連続すると共に、小口側において非重複部分１３４が形成されるように折り返されたものとし、これをページ構成紙１３０として用いても良い。
【００５７】
上述したページ構成紙１３０は、シート（リボン，ウェブ）を一箇所で折り返したものであるが、本考案はこれに限定されるものではなく、いわゆる三つ折りや片観音折り、両観音折り等のような様々な折り加工を施したものであっても良い。かかる構成とすることにより、より一層様々な形態のインデックス冊子１０を提供することが可能となる。
【００５８】
上述したインデックス付冊子１０は、本考案の一実施形態を示したものに過ぎず、本考案の趣旨を逸脱しない範囲内で適宜設計変更できる。具体的には、本実施形態では、ページ構成シート３０を４枚用いることによりインデックス付冊子１０を１２ページからなるものとした例を示したが、本考案はこれに限定されるものではない。すなわち、ページ構成シート３０の枚数を適宜調整することにより、任意のページ数からなるインデックス付冊子１０を作成することができる。また、各ページ構成シート３０の接着位置についても略均一である必要はなく、各ページ構成シート３０毎に相違するようにしても良い。かかる構成とすることにより、インデックスの幅をあえて不均一化させる等、インデックス付冊子１０のデザイン性をさらに向上させることが可能となる。
【産業上の利用可能性】
【００５９】
本考案のインデックス付冊子は、各種のパンフレットや広告用小冊子等の様々な冊子として有効利用することができる。
【符号の説明】
【００６０】
１０            インデックス付冊子
１２            表紙
１２ａ          第一表紙面
１２ｂ          第二表紙面
１４            裏表紙
１４ａ          第三表紙面
１４ｂ          第四表紙面
２０            外装シート
３０，１３０    ページ構成シート
４０，１３４    接着部
４２            非接着部
４４，１３２    折線
４６            インデックス領域
【図１】
0003185971.tif 000003
【図２】
0003185971.tif 000004
【図３】
0003185971.tif 000005
【図４】
0003185971.tif 000006
【図５】
0003185971.tif 000007